(57)【要約】      （修正有）【課題】野外で２以上のタープを並設して使用する場合に、これらのタープを容易に連結することができ、雨天時にも連結部から内部に雨水が浸入することのなく、かつ、耐風性に優れた連結構造を備えたタープを提供する。【解決手段】第一のタープ１ａと、その一端を支持するセンターポール３ｂとサイドポール４ｂを取り外された状態で、第一のタープ１ａの他端側に並設された第二のタープ１ｂとからなり、第一のタープ１ａの天幕２ａの他端の一部と、第二のタープ１ｂの天幕２ｂの一端の一部とは重なり合っており、第二のタープ１ｂの一端から一定距離だけ離隔した位置に設けられた連結孔には、第一のタープ１ａの他端を支持するセンターポール３ａおよび各サイドポール４ａの先端が挿通しているとともに、第一のタープ１ａの第二の連結具８ａと、この第二の連結具８ａと対応する位置に設けられた第二のタープ１ｂの第一の連結具７ｂとが、それぞれ係合している。【選択図】図２
2014055418.tif 000002
【特許請求の範囲】
【請求項１】
矩形の天幕と、該天幕の両端中央部をそれぞれ支持するセンターポールと、各センターポールの両側で該天幕の角部をそれぞれ支持するサイドポールを備え、
前記天幕の一端には、該天幕の傾斜方向に複数の第一の連結具が並設されているとともに、該一端から一定距離だけ離隔した位置であって、該天幕の中央部およびその両縁部に、前記センターポールおよび各サイドポールが挿通可能な連結孔がそれぞれ設けられており、
前記天幕の他端から前記一定距離と同じ距離だけ離隔した位置に、前記第一の連結具と係合可能な複数の第二の連結具が、前記天幕の一端に並設された第一の連結具と対応する位置にそれぞれ設けられており、
各センターポールおよびサイドポールの先端部は、前記天幕の上面から突出しているタープ。
【請求項２】
前記天幕の中央部に設けられた連結孔は、その上部に該連結孔を覆うカバーを備える、請求項１に記載のタープ。
【請求項３】
請求項１または２に記載した第一のタープと、その一端を支持するセンターポールとサイドポールを取り外された状態で、第一のタープの他端側に並設された請求項１または２に記載の第二のタープとからなり、
第一のタープの天幕の他端の一部と、第二のタープの天幕の一端の一部とは重なり合っており、
第二のタープの一端から一定距離だけ離隔した位置に設けられた各連結孔には、第一のタープの他端を支持するセンターポールおよび各サイドポールの先端が挿通しているとともに、第一のタープの第二の連結具と、第二の連結具と対応する位置に設けられた第二のタープの第一の連結具とがそれぞれ係合している、タープ連結体。
【発明の詳細な説明】
【技術分野】
【０００１】
本発明は、キャンプや運動会などの野外活動時に日除けや雨除けなどの目的で設営使用される簡易なタープなどの野外構造物に関する。
【背景技術】
【０００２】
この種のタープとしては、ウイング型、ヘキサゴン型、スクエア型などの種々の形態ものがある。これらのタープの基本的な構造は、矩形や六角形からなる天幕と、該天幕を支承する２本のメインポールを主体として、これらを固定し、張力を付与する２本以上のロープからなる、非常に簡易な構造を有している。このため、部品数を少なく、容易に設営作業をすることができる。また、その設営状態では非常にシンプルなスッキリとしたデザインが得られ、かつ、周囲が開いていて風通しが良く、横風に強いと共に、開放感が得られるなどの特徴を有する。
【０００３】
従来、このようなタープを並設して使用する場合、隣接するタープ同士をどんなに接近させても、タープ間に隙間ができてしまい、その隙間から雨風が浸入するという問題があった。
【０００４】
このような問題に対しては、特許文献１および２には、複数の野外構造物（キャノピー、テント）を並設し、連結する際に、これらの野外構造物の間に略Ｕ字形状の雨樋を設けることにより、雨水の浸入を防止する連結構造が記載されている。
【０００５】
これらの連結構造は、確かに内部への雨水の浸入を防止することができるが、この雨樋部分の張力が十分でない場合、または、張力が低下した場合には、この部分に雨水が集中して溜まってしまうため、野外構造物全体のバランスが悪くなるという問題がある。また、雨樋を設けた分だけ天幕の表面積が増すため、特に強風時には、風の抵抗が大きくなるという問題もある。
【先行技術文献】
【特許文献】
【０００６】
【特許文献１】特開２００２−２０１８２３号公報
【特許文献２】実用新案登録３０４０４１４号公報
【発明の概要】
【発明が解決しようとする課題】
【０００７】
本発明は、野外で２以上のタープを並設して使用する場合に、これらのタープを容易に連結することができ、雨天時にも連結部から内部に雨水が浸入することがなく、かつ、耐風性に優れた連結構造を備えたタープを提供することを目的とする。
【課題を解決するための手段】
【０００８】
本発明のタープは、矩形の天幕と、該天幕の両端中央部をそれぞれ支持するセンターポールと、各センターポールの両側で該天幕の角部をそれぞれ支持するサイドポールを備える。前記天幕の一端には、該天幕の傾斜方向に複数の第一の連結具が並設されているとともに、該一端から一定距離だけ離隔した位置であって、該天幕の中央部およびその両縁部に、前記センターポールおよび各サイドポールが挿通可能な連結孔がそれぞれ設けられている。また、前記天幕の他端から前記一定距離と同じ距離だけ離隔した位置に、前記第一の連結具と係合可能な複数の第二の連結具が、前記天幕の一端に並設された第一の連結具と対応する位置にそれぞれ設けられている。さらに、各センターポールおよびサイドポールの先端部は、前記天幕の上面から突出している。
【０００９】
前記天幕の中央部に設けられた連結孔は、その上部に該連結孔を覆うカバーを備えることが好ましい。
【００１０】
本発明は、並設する２つのタープを連結させたタープ連結体として使用することも可能である。すなわち、本発明のタープ連結体は、前記構成を有する第一のタープと、その一端を支持するセンターポールとサイドポールを取り外された状態で、第一のタープの他端側に並設された前記構成を有する第二のタープとからなり、第一のタープの天幕の他端の一部と、第二のタープの天幕の一端の一部とは重なり合っており、第二のタープの一端から一定距離だけ離隔した位置に設けられた各連結孔には、第一のタープの他端を支持するセンターポールおよび各サイドポールの先端が挿通しているとともに、第一のタープの第二の連結具と、第二の連結具と対応する位置に設けられた第二のタープの第一の連結具とがそれぞれ係合した構造を有する。
【発明の効果】
【００１１】
本発明によれば、野外で２以上のタープを並設して使用する場合に、これらのタープを容易に連結することができ、雨天時にも連結部から内部に雨水が浸入することのなく、かつ、耐風性に優れた連結構造を備えたタープを提供することができる。
【図面の簡単な説明】
【００１２】
【図１】図１は、本発明に係る連結構造を備えた、スクエア型のタープの概略斜視図である。
【図２】図２は、図１のタープを連結した状態を示す概略斜視図である。
【図３】図３は、図２の連結部の拡大断面図である。
【発明を実施するための形態】
【００１３】
本発明について、図１〜図３を参照しながら詳述する。なお、各図は、図示の都合上、天幕の厚さなどを他の構成要素との関係で実際よりも厚く描いている。また、本発明のタープは、通常使用される大きさであれば特に限定されることはないが、以下では、同一端側にあるメインポール間の距離が４５０ｃｍ〜５５０ｃｍ、サイドポール間の距離が３５０ｃｍ〜４５０ｃｍ、メインポールの高さが１８０ｃｍ〜２６０ｃｍの範囲にあるスクエア型のタープを例に挙げて説明する。
【００１４】
１．タープ
本発明のタープ（１）は図１に示されるように、矩形の天幕（２）と、該天幕（２）の両端中央部をそれぞれ支持するセンターポール（３）と、各センターポール（３）の両側で該天幕の角部をそれぞれ支持するサイドポール（４）を備える。なお、天幕（２）は、センターポール（３）およびサイドポール（４）を介して、ロープ（図示せず）により地面と接続され、これにより張力を付与されるものであるが、このようなロープの配置および設置本数などは従来のタープと同様であるため、以下では説明を省略する。
【００１５】
センターポール（３）およびサイドポール（４）は、その下端部が、地面に対して垂直方向に埋設固定されている。また、その上端部は、天幕（２）の対応する部分に設けられた支持孔（５）を挿通している。センターポール（３）およびサイドポール（４）の上端部は、天幕（２）の上面から５ｃｍ〜１５ｃｍほど突出しており、天幕（２）は、この位置で支持固定されている。
【００１６】
天幕の一端（図１の右側）には、天幕（２）の傾斜方向に複数の第一の連結具（７）が並設されている。これらの第一の連結具（７）は、天幕（２）の中央部と両角部の近傍、および、これらの間に等間隔となるように並設されることが好ましい。
【００１７】
また、天幕（２）の一端から一定距離Ｌだけ離隔した位置であって、該天幕（２）の中央部およびその両縁部には、センターポール（３）および各サイドポール（４）が挿通可能な連結孔（６）がそれぞれ設けられている。
【００１８】
さらに、天幕（２）の他端（図１の左側）から前記一定距離Ｌと同じ距離だけ離隔した位置に、前記第一の連結具（７）と係合可能な複数の第二の連結具（８）が、天幕（２）の一端に並設された第一の連結具（７）と対応する位置にそれぞれ設けられている。
【００１９】
第一、第二の連結具（７、８）としては、相互に係合可能で、天幕（２）の一端を固定することができるものであれば特に限定されることはないが、たとえば、容易に係合可能なバックルや面ファスナなどを使用することが好ましい。
【００２０】
天幕（２）の一端から連結孔（６）まで、または、該天幕（２）の他端から第二の連結具（８）までの距離Ｌは、図２に示すようにタープ（１ａ、１ｂ）を連結した場合に、居住空間内に雨水が侵入することを防止し、かつ、耐風性に影響を及ぼさないようにする観点から、好ましくは２０ｃｍ〜７０ｃｍ、より好ましくは３０ｃｍ〜５０ｃｍ程度とする。
【００２１】
また、本発明のタープ（１）は、前記天幕の中央部に設けられた連結孔（６）から居住空間内に雨水が侵入することを防止するため、該連結孔（６）の上部に該連結孔（６）を覆うカバー（９）を備えることが好ましい。なお、このようなカバー（９）は、天幕の中央部の連結孔（６）ばかりでなく、その両端の連結孔（６）にも備えるように構成してもよい。
【００２２】
２．タープ連結体
本発明のタープは、単独で使用することも可能であるが、複数のタープを連結して使用することができる点に特徴を有する。特に、本発明のタープは、連結した状態で２つのタープの連結部において、これらのタープの天幕の一部が重なり合うため、２つのタープの間に隙間が生じることはないため、連結部から雨水などが侵入することはない。また、連結に際して、天幕の表面積が増加することもないため、連結に伴い耐風性が悪化することもない。
【００２３】
以下、図２および図３を参照しながら、本発明のタープ２つを連結して使用する場合を例に挙げて詳細に説明する。
【００２４】
本発明のタープ連結体は、図２に示すように、基本となる第一のタープ（１ａ）の他端側（図２の左側）と、第一のタープ（１ａ）に連結する第二のタープ（１ｂ）とから構成される。第二のタープ（１ｂ）は、その一端側（前記タープ（１ａ）と対向する側）のセンターポール（３ｂ）および各サイドポール（４ｂ）を取り外された状態で、その一端側の天幕（２ｂ）の一部が、第一のタープ（１ａ）と重なり合うように、第一のタープ（１ａ）に並設されている。また、第二のタープ（１ｂ）の一端から一定距離Ｌだけ離隔した位置に設けられた各連結孔（６ｂ）には、第一のタープ（１ａ）の他端を支持するセンターポール（３ａ）および各サイドポール（４ａ）の先端が挿通しているとともに、第一のタープ（１ａ）の第二の連結具（８ａ）と、この第二の連結具（８ａ）と対応する位置に設けられた第二のタープ（１ｂ）の第一の連結具（７ｂ）とがそれぞれ係合している。
【００２５】
図３に示すように、第二のタープ（１ｂ）の他端は、第一のタープ（１ａ）のセンターポール（３ａ）および各サイドポール（４ａ）によって支持されるとともに、各連結具（８ａ、７ｂ）により張力を付与されるため、密接に重なり合うことができる。このため、タープ連結体（１ａ、１ｂ）の居住空間内に雨水などが侵入することを効果的に防止することができるばかりでなく、この連結部に雨水が集中して溜まってしまうことがないため、全体のバランスが悪くなるという問題が生じることもない。さらに、第一および第二のタープ（１ａ、１ｂ）の連結に伴い、天幕（２ａ、２ｂ）の表面積が増加することもないため、強風時であっても風の抵抗が大きくなるという問題が生じることもない。
【００２６】
本発明のタープ（１ａ、１ｂ）を連結する手順は、以下のとおりである。
【００２７】
初めに、各天幕（２ａ、２ｂ）の支持孔（５ａ、５ｂ）および連結孔（６ａ、６ｂ）に、センターポール（３ａ、３ｂ）およびサイドポール（４ａ、４ｂ）を挿通する前に、第一のタープ（１ａ）の天幕（２ａ）の他端と、第二のタープ（１ｂ）の天幕（２ｂ）の一定距離Ｌだけ重ね合わせ、第一のタープ（１ａ）の第二の連結具（７ａ）と、第二のタープ（１ｂ）の第一の連結具（８ｂ）を係合する。このとき、天幕（２ｂ）に張力を付与するために、各連結具（７ａ、８ｂ）の長さを調整することが調整することが好ましい。次に、各支持孔（５ａ、５ｂ）および連結孔（６ａ、６ｂ）に、センターポール（３ａ、３ｂ）およびサイドポール（４ａ、４ｂ）をそれぞれ挿通する。
【００２８】
このように、本発明のタープ（１ａ、１ｂ）は、極めて容易に連結することができるため、タープ（１ａ、１ｂ）の設置場所またはその使用目的に応じて、単独で使用するか、連結して使用するかを適宜選択することができる。特に、連結して使用する場合であっても、上述したように、雨水が居住空間内に侵入することがないばかりか、耐風性を損なわれることもないため、快適な野外活度をおくることができる。
【符号の説明】
【００２９】
１  タープ
１ａ  第一のタープ
１ｂ  第二のタープ
２、２ａ、２ｂ  天幕
３、３ａ、３ｂ  センターポール
４、４ａ、４ｂ  サイドポール
５、５ａ、５ｂ  支持孔
６、６ａ、６ｂ  連結孔
７、７ａ、７ｂ  第一の連結具
８、８ａ、８ｂ  第二の連結具
９、９ａ、９ｂ  カバー
【図１】
2014055418.tif 000003
【図２】
2014055418.tif 000004
【図３】
2014055418.tif 000005